(57)【要約】  【課題】  連結操作を簡単に行えるケーブル用保護カバーを提供する。  【解決手段】  メッセンジャーワイヤーと該ワイヤーに沿って架設したケーブルを軸線に沿う両端間を通じて嵌入する筒状のカバー主体を備え、該カバー主体１の前記両端に突設したひれ部片２，２に組付孔を設け、該組付孔に止具を嵌着して前記ひれ部片を互いに止着するようにする。そして、前記ひれ部片２に第一、第二および第三の前記組付孔３Ａ，３Ｂ，３Ｃを前記軸線方向の端縁側から順次並設し、これら組付孔中の、第二、第三の組付孔３Ｂ，３Ｃそれぞれに係離可能に同時に嵌着する係止片５，５を前記止具４に並設する。また、前記第一組付孔３Ａを、互いに連結する他のケーブル用保護カバー側のひれ部片に設けた第一組付孔３Ａとの離開距離が前記第二、第三の組付孔３Ｂ，３Ｃ間の離開距離と一致する位置に配設する。【選択図】    図１
2007097309.tif 000002
【特許請求の範囲】
【請求項１】
メッセンジャーワイヤーと該ワイヤーに沿って架設したケーブルを軸線に沿う両端間を通じて嵌入する筒状のカバー主体を備え、該カバー主体の前記両端に突設したひれ部片に組付孔を設け、該組付孔に止具を嵌着して前記ひれ部片を互いに止着するようにしたケーブル用保護カバーにおいて、前記ひれ部片に第一、第二および第三の前記組付孔を前記軸線方向の端縁側から順次並設し、これら組付孔中の、第二、第三の組付孔それぞれに係離可能に同時に嵌着する係止片を前記止具に並設すると共に、前記第一組付孔を、互いに連結する他のケーブル用保護カバー側のひれ部片に設けた第一組付孔との離開距離が前記第二、第三の組付孔間の離開距離と一致する位置に配設した、ケーブル用保護カバー。
【発明の詳細な説明】
【技術分野】
【０００１】
ケーブル（殊に、通信線）は、電柱間に架設したメッセンジャーワイヤー（吊線）に沿って螺旋状ケーブルハンガーを介して支持させるようにしているが、該架線状態にあって近傍の樹木が風に煽られて接触して損傷を受けることがある。
【０００２】
本発明は、この損傷を防ぐために用いるケーブル用保護カバーに関するものである。
【背景技術】
【０００３】
メッセンジャーワイヤーと該ワイヤーに沿って架設したケーブルを軸線に沿う両端間を通じて嵌入する筒状のカバー主体を備え、該カバー主体の前記両端に突設したひれ部片に組付孔を設け、該組付孔に止具を嵌着して前記ひれ部片を互いに止着するようにした構造のものがある（例えば、特許文献１）。
【０００４】
【特許文献１】特開２００１−１４５２４２号公報
【発明の開示】
【発明が解決しようとする課題】
【０００５】
前記従来構造のものは、ケーブルを套装する構成を採るので前記の損傷を確実に防ぐことができるが、樹木部分が長い（広い）場合は、その長さに対応する長さのものを必要とし、従って、運搬或いは保管上満足のできるものではない。要するに、前記従来構造のものは、互いに連結して当該環境に合わせた長さにできる構成を採らないため、使用勝手上必ずしも良好とはいえなかった。
【０００６】
本発明は斯様な従来例の欠点に着目し、必要に応じて連結でき、従って、使用勝手上好適なケーブル用保護カバーを提供すべく創案したものである。
【課題を解決するための手段】
【０００７】
メッセンジャーワイヤーと該ワイヤーに沿って架設したケーブルを軸線に沿う両端間を通じて嵌入する筒状のカバー主体を備え、該カバー主体の前記両端に突設したひれ部片に組付孔を設け、該組付孔に止具を嵌着して前記ひれ部片を互いに止着するようにしたケーブル用保護カバーにおいて、前記ひれ部片に第一、第二および第三の前記組付孔を前記軸線方向の端縁側から順次並設し、これら組付孔中の、第二、第三の組付孔それぞれに係離可能に同時に嵌着する係止片を前記止具に並設すると共に、前記第一組付孔を、互いに連結する他のケーブル用保護カバー側のひれ部片に設けた第一組付孔との離開距離が前記第二、第三の組付孔間の離開距離と一致する位置に配設した構成とするのである。
【発明の効果】
【０００８】
本発明によれば、連結操作を簡単に行うことのできる保護カバーを提供できる。
【実施例】
【０００９】
図面は本発明に係るケーブル用保護カバーの一実施例を示し、図１は一部の斜視図、図２は連結部分の断面図、図３は図２の断面図である。
【００１０】
図中、Ａは本発明に係るケーブル用保護カバーで、保護カバーＡは、弾性変形させて長手方向に沿う両端間を開閉するようにした筒状のカバー主体１を備え，該筒状主体１の前記両端に互いに重合するひれ部片２，２を突設して構成したものである。
【００１１】
カバー主体１は、実施例では円筒体を呈するが楕円形でもよいし、２０面体にする等角筒体でも差し支えがなく、要は、メッセンジャーワイヤーに沿って配したケーブルを内嵌できる内径を備えた筒体であれば良い。
【００１２】
このカバー主体１に突設した前記ひれ部片２の、カバー主体１の軸線方向の両端部には、第一、第二および第三の組付孔３Ａ，３Ｂ，３Ｃを、端縁２´側から等距離を存して順次並設し、各組付孔３Ａ，３Ｂ，３Ｃは同形同大の角孔で構成したものである。
【００１３】
ひれ部片２，２は、第一、第二および第三の組付孔３Ａ，３Ｂ，３Ｃの隣接する一対のもの（３Ａと３Ｂ或いは３Ｂと３Ｃのように）それぞれに、止具４の係止片５，５を係離自在に嵌着することによって、その重合状態が維持され、前記軸線（長手方向）に沿う両端間を通じて嵌入したケーブルのカバー主体１からの離脱を防ぐようにしてある。
【００１４】
前記止具４は、一方の片面に把手７を突設した主体片６の他の一方の片面の長手方向の両側それぞれに、外側面に係止部５ａを設けた一対の前記係止片５，５を並べて突設して構成したもので、相対設した一対の係止片５，５を一組とした一組同士間の離開距離を、前記組付孔３Ａ，３Ｂ，３Ｃ同士間の離開距離と等距離とし、一対二組の係止片５，５は、ひれ部片２，２間においては一致する組付孔３Ａ，３Ａ又は３Ｂ，３Ｂ若しくは３Ｃ，３Ｃの隣接関係にある一対のものに係離自在に組付けて前記の通り、ひれ部片２，２同士の離開を防止する。
【００１５】
実施例の係止部５ａは係止片５の外側面をテーパー状に膨出させて構成し、該テーパー形状によって組付孔３Ａ，３Ｂ，３Ｃに対する嵌挿組付け時には止具４を当該組付孔３Ａ，３Ｂ，３Ｃ方向に押圧するだけで係止片５は弾性変形して組付孔３Ａ，３Ｂ，３Ｃに嵌着され、また、離脱時には把手７において止具４を引っ張るだけで係止片５は弾性変形して（組付孔３Ａ等の縁部に圧接して）当該組付孔３Ａ，３Ｂ，３Ｃから離脱させることができる。
【００１６】
なお、保護カバーＡおよび止具４共、合成樹脂を素材とするが、該素材に限定する必要のないことはいうまでもない。
【００１７】
しかして、カバー主体１の軸線に沿う両端を弾性を利用して互いに離開するようにして架設したケーブルを当該カバー主体１内に嵌入するようにして保護カバーＡを前記ケーブルに組付け、ひれ部片２の両端部側に設けた第二、第三の組付孔３Ｂ，３Ｃに止具４の一対二組の係止片５を嵌挿して係止部５ａを組付孔３Ｂ，３Ｃの口縁に係離自在に係止させることによって止具４は前記組付孔３Ｂ，３Ｃに嵌着され、この嵌着状態で保護カバーＡはケーブルを套装し、樹木等に因る損傷を防止する。
【００１８】
なお、保護カバーＡのケーブル軸線方向（長手方向に沿う）の移動は別途適宜の手段で防止すればよい。
【００１９】
そして、既設のケーブル用保護カバー（図１の実線で示す、以下、旧カバー）に隣接させて他のケーブル用保護カバー（図１の鎖線で示す、以下、新カバー）を前記と同様にしてケーブルに組付け、旧カバーの新カバー側の端部において未使用状態にある第一組付孔３Ａ、新カバー側の組付孔３Ａそれぞれに係止片５を嵌着して新旧カバーに止具４をわたすように組付けると、新旧カバーは該止具４を介して互いに連結され一体的となってケーブルを保護することになる。
【００２０】
すなわち、保護カバーＡ単独で使用する際に第二、第三の組付孔３Ｂ，３Ｃを利用して止具４によって保護カバーＡを閉塞するようにしておき、第一組付孔３Ａを連結用として残存しておけば（未使用状態にしておけば）既設の保護カバーＡの現状態のままで他の保護カバーを連結することができるのである。
【００２１】
従って、実施例では第一乃至第三の組付孔３Ａ，３Ｂ，３Ｃそれぞれの間の各間の間隔距離および互いに隣接する第一組付孔３Ａ，３Ａ同士間の間隔距離のそれぞれは互いに等距離とするが、第一取付孔３Ａと第二取付孔３Ｂ間の離開距離は当該等距離にする必要はない。
【００２２】
また、実施例では保護カバーＡの両端側に第一、第二および第三の組付孔３Ａ，３Ｂ，３Ｃを一組として配してあるが、保護カバーＡの中間部にも止具を用いる取付孔を設けても差し支えなく、その際、ケーブルに対する保護カバーの着脱操作を考慮すると、その数が少ない程当該操作の省力化を図れる。
【００２３】
図中、ｃはケーブル、ｈは螺旋状ケーブルハンガー、ｍはメッセンジャーワイヤーを示す。
【図面の簡単な説明】
【００２４】
【図１】一部の斜視図。
【図２】連結部分の断面図。
【図３】図２の断面図。
【符号の説明】
【００２５】
１      カバー主体
２      ひれ部片
３Ａ    第一組付孔
３Ｂ    第二組付孔
３Ｃ    第三組付孔
４      止具
５      係止片
【図１】
2007097309.tif 000003
【図２】
2007097309.tif 000004
【図３】
2007097309.tif 000005